(57)【特許請求の範囲】
【請求項１】
環境情報及びユーザの健康情報を受信するように構成された受信機と、
前記環境情報及び前記健康情報に少なくとも部分的に基づき、フェイスマスク内の現在のフィルタセットが変更されるべきかどうかの判定を行うべく構成された少なくとも１つの処理コアと、
を備えた装置であって、前記受信機が、前記フェイスマスク内に備えられた少なくとも１つのセンサから前記健康情報を受信するように構成される、装置。
【請求項２】
前記環境情報は、気体濃度、二酸化炭素濃度、一酸化炭素濃度、二酸化硫黄濃度、粒子濃度、花粉濃度、および紫外線フラックスのうちの少なくとも１つを含む、請求項１に記載の装置。
【請求項３】
前記健康情報は、前記ユーザの年齢、前記ユーザのアレルギー状態、前記ユーザの遺伝的特徴、前記ユーザの肺活量、前記ユーザの酸素飽和度、および前記ユーザの脈拍レベルのうちの少なくとも１つを含む、請求項１または２に記載の装置。
【請求項４】
前記判定は、前記現在のフィルタセット内のフィルタの種類に少なくとも部分的に基づく、請求項１〜３のいずれか１項に記載の装置。
【請求項５】
前記受信機は、前記フェイスマスク内に備えられた少なくとも１つのセンサから前記環境情報を受信するように構成される、請求項１〜４のいずれか１項に記載の装置。
【請求項６】
前記受信機は、前記環境情報をサーバから通信網を介して受信するように構成される、請求項１〜４のいずれか１項に記載の装置。
【請求項７】
前記環境情報を前記サーバに要求するように構成される、請求項６に記載の装置。
【請求項８】
前記現在のフィルタセットは変更されるべきであるとの判定に応答して、現在のフィルタセットが変更されるべきであることを示す感知信号を提供するように構成される、請求項１〜７のいずれか１項に記載の装置。
【請求項９】
前記判定が、前記フェイスマスク内に備えられた少なくとも１つのセンサからの健康情報とは異なる第二の健康情報に少なくとも部分的に基づく、請求項１〜８のいずれか１項に記載の装置。
【請求項１０】
環境情報及びユーザの健康情報を受信することと、
前記環境情報及びユーザの健康情報に少なくとも部分的に基づき、フェイスマスク内の現在のフィルタセットが変更されるべきかどうかの判定を行うことと、
を含む方法であって、前記受信することが、前記健康情報を前記フェイスマスク内に備えられた少なくとも１つのセンサから受信することを含む、方法。
【請求項１１】
前記環境情報は、気体濃度、二酸化炭素濃度、一酸化炭素濃度、二酸化硫黄濃度、粒子濃度、花粉濃度、および紫外線フラックスのうちの少なくとも１つを含む、請求項１０に記載の方法。
【請求項１２】
前記健康情報は、前記ユーザの年齢、前記ユーザのアレルギー状態、前記ユーザの遺伝的特徴、前記ユーザの肺活量、前記ユーザの酸素飽和度、および前記ユーザの脈拍レベルのうちの少なくとも１つを含む、請求項１０または１１に記載の方法。
【請求項１３】
前記判定は、前記現在のフィルタセット内のフィルタの種類に少なくとも部分的に基づく、請求項１０〜１２のいずれか１項に記載の方法。
【請求項１４】
前記環境情報を前記フェイスマスク内に備えられた少なくとも１つのセンサから受信することを含む、請求項１０〜１３のいずれか１項に記載の方法。
【請求項１５】
前記環境情報をサーバから通信網を介して受信することを含む、請求項１０〜１３のいずれか１項に記載の方法。
【請求項１６】
前記環境情報を前記サーバに要求することを更に含む、請求項１５に記載の方法。
【請求項１７】
前記現在のフィルタセットは変更されるべきであるとの判定に応答して、前記現在のフィルタセットは変更されるべきであることを示す感知信号を提供することを更に含む、請求項１０〜１６のいずれか１項に記載の方法。
【請求項１８】
前記判定が、前記フェイスマスク内に備えられた少なくとも１つのセンサからの健康情報とは異なる第二の健康情報に少なくとも部分的に基づく、請求項１０〜１７のいずれか１項に記載の方法。
【請求項１９】
環境情報及びユーザの健康情報を受信する手段と、
前記環境情報及び前記健康情報に少なくとも部分的に基づき、フェイスマスク内の現在のフィルタセットが変更されるべきかどうかの判定を行う手段と、
を備えた装置であって、前記受信する手段が、前記フェイスマスク内に備えられた少なくとも１つのセンサから前記健康情報を受信する手段を備える、装置。
【請求項２０】
一組のコンピュータ可読命令が格納されている非一時的コンピュータ可読媒体であって、前記一組のコンピュータ可読命令は、少なくとも１つのプロセッサによって実行されると、装置に少なくとも、
環境情報及びユーザの健康情報を受信することと、
前記環境情報及び前記健康情報に少なくとも部分的に基づき、フェイスマスク内の現在のフィルタセットが変更されるべきかどうかの判定を行うことと、
を行わせ、前記受信することが、前記健康情報を前記フェイスマスク内に備えられた少なくとも１つのセンサから受信することを含む、非一時的コンピュータ可読媒体。
【請求項２１】
装置の処理手段に実行されると、前記装置に、請求項１０〜１８のいずれか１項に記載の方法を遂行させるように構成されるプログラム命令を備える、コンピュータプログラム。
【発明の詳細な説明】
【発明の分野】
【０００１】
本発明は、フェイスマスクおよびフェイスマスクとの対話の分野に関する。
【発明の背景】
【０００２】
都市および工業地域における工業汚染は、人間の健康に悪影響を及ぼし得る。汚染は、気体状および／または粒子状物質による汚染を含み得る。気体状物質による汚染は、例えば、炭素および／または硫黄の化学物質を含み得る。粒子状物質による汚染は、さまざまなサイズおよび組成の固体粒子を含み得る。粒子の排出は、例えば、ディーゼルエンジンから発生する。
【０００３】
特定種別の汚染の一例は、ＰＭ２．５である。ＰＭ２．５とは、２．５マイクロメートルより小さい粒子を意味する。このような粒子は、人間の肺のガス交換領域に浸透し易い。１００ナノメートル未満のサイズの極小粒子は、肺を通り抜けて身体の他の臓器に達し得る。一酸化炭素ＣＯは、特定種別の汚染の別の例である。ＣＯは、二酸化炭素ＣＯ２を発生させるには酸素が不十分なときに炭素含有化合物の部分酸化において生成される。ＣＯ２も別の特定種別の汚染である。
【０００４】
汚染が人間の健康に及ぼす影響を緩和するために、汚染の組成が制御され得る。例えば、硫黄含有量を制御して排気ガス中の硫黄化合物の量を減らすために、使用される燃料が規制され得る。生物圏への燃料添加剤、例えば鉛を含む燃料添加剤など、の吸収を阻止するために、これら燃料添加剤は規制または禁止され得る。
【０００５】
汚染レベルの制御は、工業活動を規制することによって、例えば工業地域を住宅地域から離れた場所に指定することによって、行われ得る。場合によっては、大気中への汚染物質の総排出量を制御するために、一部の工業施設に特定の日に操業停止を要求することによって、工業活動を制御し得る。
【０００６】
自動車のエンジンは、燃料をできる限り完全に燃焼させてエンジンによるＣＯ排出量を減らすべく、設計され得る。これが有用である理由は、自動車は一般に住宅地域においても使用されるからである。自動車は、例えば酸化還元反応によって排気ガス中の有毒の汚染物質をより危険でない化合物に変換する触媒コンバータまたは他の車両排気制御デバイスの装備が求められ得る。
【０００７】
診療所または病院などの医療施設においては、空中浮遊粒子がインフルエンザなどの感染症を拡散し得る。他方、一部の患者は、空気を漏洩し得る、または空気の組成を変化させ得る、酸素供給装置につながれている場合がある。工業施設は、運転中の工業プロセスが汚染フェーズに入ると汚染を噴出させ、他の段階においては汚染レベルがより低くなり得る。医療および工業施設における作業者は、感染性または汚染の原因物質からの保護を必要とする。彼らは、自分達の職務を遂行するとき、これら施設で過ごすからである。
【０００８】
呼吸によって汚染物質が人体に入ることを阻止するために、フェイスマスクが使用され得る。フェイスマスク、すなわち顔用マスク、は、入ってくる空気を少なくとも部分的に濾過するために、フィルタが鼻および／または口を覆って配設される構成であれば如何なる構成でも備え得る。
【発明の概要】
【０００９】
本発明は、独立請求項の特徴によって規定される。一部の具体的な実施形態は、従属請求項において規定される。
【００１０】
本発明の第１の態様によると、環境情報を受信するべく構成された受信機と、この環境情報に少なくとも部分的に基づき、フェイスマスク内の現在のフィルタセットが変更されるべきかどうかの判定を行うべく構成された少なくとも１つの処理コアとを備えた装置が提供される。
【００１１】
第１の態様の具体的な変形例は、以下の箇条書きリスト内の特徴を少なくとも１つ含み得る。
・  判定は、ユーザの健康情報に少なくとも部分的に基づく。
・  環境情報は、気体濃度、二酸化炭素濃度、一酸化炭素濃度、二酸化硫黄濃度、粒子濃度、花粉濃度、および紫外線フラックスのうちの少なくとも１つを含む。
・  健康情報は、ユーザの年齢、ユーザのアレルギー状態、ユーザの遺伝的特徴、ユーザの肺活量、ユーザの酸素飽和度、およびユーザの脈拍レベルのうちの少なくとも１つを含む。
・  判定は、現在のフィルタセット内のフィルタの種類に少なくとも部分的に基づく。
・  受信機は、環境情報をフェイスマスク内に備えられた少なくとも１つのセンサから受信するべく構成される。
・  受信機は、環境情報をサーバから通信網を介して受信するべく構成される。
・  装置は、環境情報をサーバに要求するべく構成される。
・  装置は、現在のフィルタセットが変更されるべきであるとの判定に応答して、現在のフィルタセットが変更されるべきであることを示す感知信号を提供するべく構成される。
【００１２】
本発明の第２の態様によると、環境情報を受信することと、この環境情報に少なくとも部分的に基づき、フェイスマスク内の現在のフィルタセットが変更されるべきかどうかの判定を行うこととを含む方法が提供される。
【００１３】
第２の態様の具体的な変形例は、第１の態様に関連して示されている上記の箇条書きリスト内の特徴に対応する特徴を少なくとも１つ含み得る。
【００１４】
本発明の第３の態様によると、顔表情を特徴づける情報を格納することと、少なくとも１つの筋電センサから情報を受信することと、受信された情報が格納された情報に一致するかどうかを判定し、一致に応答してフェイスマスクにアクションを行わせることと、を含む方法が提供される。
【００１５】
本発明の第４の態様によると、環境情報、生理学的情報、および位置情報のうちの少なくとも２つを取得することと、取得された情報をフェイスマスク装置からサーバに送信させることと、サーバからユーザプロファイルを受信することと、ユーザプロファイルの共有を認可することと、を含む方法が提供される。
【００１６】
本発明の第５の態様によると、アクションのリストと各アクションについての時点および目標位置とを規定する情報を受信および格納することと、各時点および目標位置を規定する情報をサーバに向けて送信させることと、各目標位置に関する環境情報をそれぞれの目標位置に対応する時点に受信することと、受信された環境情報に基づきフェイスマスク内に使用されるべき少なくとも１つのフィルタを決定することと、を含む方法が提供される。
【００１７】
本発明の第６の態様によると、少なくとも１つの処理コアと、コンピュータプログラムコードを含む少なくとも１つのメモリとを備えた装置であって、少なくとも１つのメモリおよびコンピュータプログラムコードは、少なくとも１つの処理コアによって、装置に少なくとも、顔表情を特徴づける情報を格納することと、少なくとも１つの筋電センサから情報を受信することと、受信された情報が格納されている情報に一致するかどうかを判定し、一致に応答してフェイスマスクにアクションを行わせることと、を行わせるべく構成される、装置が提供される。
【００１８】
本発明の第７の態様によると、少なくとも１つの処理コアと、コンピュータプログラムコードを含む少なくとも１つのメモリとを備えた装置であって、少なくとも１つのメモリおよびコンピュータプログラムコードは、少なくとも１つの処理コアによって、装置に少なくとも、環境情報、生理学的情報、および位置情報のうちの少なくとも２つを取得することと、取得された情報をフェイスマスク装置からサーバに送信させることと、サーバからユーザプロファイルを受信することと、ユーザプロファイルの共有を認可することと、を行わせるべく構成される、装置が提供される。
【００１９】
本発明の第８の態様によると、少なくとも１つの処理コアと、コンピュータプログラムコードを含む少なくとも１つのメモリとを備えた装置であって、少なくとも１つのメモリおよびコンピュータプログラムコードは、少なくとも１つの処理コアによって、装置に少なくとも、アクションのリストと各アクションについての時点および目標位置とを規定する情報を受信および格納することと、各時点および目標位置を規定する情報をサーバに向けて送信させることと、各目標位置に関する環境情報をそれぞれの目標位置に対応する時点に受信することと、受信された環境情報に基づき、フェイスマスク内に使用されるべき少なくとも１つのフィルタを決定することと、を行わせるべく構成される、装置が提供される。
【００２０】
本発明の第９の態様によると、環境情報を受信する手段と、この環境情報に少なくとも部分的に基づき、フェイスマスク内の現在のフィルタセットが変更されるべきかどうかの判定を行う手段と、を備えた装置が提供される。
【００２１】
本発明の第１０の態様によると、一組のコンピュータ可読命令が格納された非一時的コンピュータ可読媒体であって、少なくとも１つのプロセッサによって実行されると、装置に少なくとも、環境情報を受信することと、この環境情報に少なくとも部分的に基づき、フェイスマスク内の現在のフィルタセットが変更されるべきかどうかの判定を行うことと、を行わせる、非一時的コンピュータ可読媒体が提供される。
【産業上の利用可能性】
【００２２】
本発明の少なくとも一部の実施形態は、フェイスマスクの機能の向上、それぞれの濾過機能の向上、に産業上の適用可能性を見出す。
【図面の簡単な説明】
【００２３】
【図１】本発明の一実施例に従う概念を説明する例示的フェイスマスクを示す。
【００２４】
【図２】本発明の一実施例に従う例示的システムを示す。
【００２５】
【図３】本発明の少なくとも一部の実施形態をサポート可能な例示的装置を示す。
【００２６】
【図４】本発明の一実施例に従う信号方式を示す。
【００２７】
【図５】本発明の一実施例に従う第１の方法の第１のフローチャートである。
【００２８】
【図６】図５に示されている方法のより具体的な変形例のフローチャートである。
【００２９】
【図７】本発明の一実施例に従う方法の第２のフローチャートである。
【００３０】
【図８】図７に示されている方法のより具体的な変形例のフローチャートである。
【００３１】
【図９】本発明の一実施例に従う方法の第３のフローチャートである。
【００３２】
【図１０】図９に示されている方法のより具体的な変形例のフローチャートである。
【００３３】
【図１１】本発明の一実施例に従う方法の第４のフローチャートである。
【００３４】
【図１２】図１１に示されている方法のより具体的な変形例のフローチャートである。
【例示的実施形態の詳細説明】
【００３５】
フェイスマスクは、マスクがもたらす保護を向上するために、および不要な濾過を回避するために、マスクのフィルタが挿入、除去、または交換されるべきときにユーザに通知可能にされ得る。例えば、存在する環境汚染物質の変化に応答して、フィルタを変化させ得る。
【００３６】
図１は、本発明の一実施例に従う概念を説明する例示的フェイスマスクを示す。マスク１００は、人の口および／または鼻を覆って載置されるべく構成されたフェイスマスクを備える。マスク１００は、少なくとも１つのフィルタを収容するべく適合化されたフィルタ部１１０を有する。ストラップ１２０は、マスクをユーザ１３０の顔に押し付けるべく適合化される。
【００３７】
マスク１００は、図１に示されていない更なるユニットを備え得る。そのような更なるユニットとして、例えば、電気エネルギーを蓄えるべく構成された電池ユニット、複数のノードと通信するべく構成された通信ユニット、情報を格納するべく構成されたメモリ、少なくとも１つの処理コアを備えた処理モジュール、少なくとも１つのセンサ、および／またはユーザ１３０に表示、例えば可聴ビープまたは音声、を提供するべく構成された対話ユニットが挙げられる。
【００３８】
フィルタ部１１０は、少なくとも１つのフィルタを収容するべく適合化され得る。一部の実施形態において、フィルタ部１１０は、少なくとも２つのフィルタを収容し得る。マスク１００の内側に達する空気が濾過済みの空気であるように、フィルタ部１１０内のフィルタは、ユーザ１３０が吸い込む空気がこのフィルタを通過するべく配設される。フィルタ部１１０が２つのフィルタを収容している場合、フィルタ部１１０を通ってマスク１００の内側に達する空気は、フィルタ部１１０に収容されている両フィルタによって濾過される。
【００３９】
フィルタは、粒子フィルタおよび／または化学フィルタを含み得る。粒子フィルタは、例えば、気体のフィルタ通過を許容しながら、粒子のフィルタ通過を阻止するために、十分に小さい開口部を複数備えたメッシュを備え得る。これら開口部のサイズは、このフィルタを通過できる粒子の最大サイズを決定する。例えば、開口部のサイズが１マイクロメートルの場合、１マイクロメートルより小さい粒子および気体はフィルタを通過できるが、１マイクロメートルより大きい粒子は通過が阻止される。
【００４０】
化学フィルタは、特定の気体のフィルタ通過を阻止するべく構成され得る。例えば、フィルタは、濾過対象の気体と反応する化学物質を含浸させた膜を備え得る。例えば、一酸化炭素フィルタは、一酸化炭素と反応して、このフィルタを通過した空気中の一酸化炭素量を、このフィルタを通過していない気体に比べ、減少させる化学物質を備え得る。したがって、一酸化炭素フィルタがフィルタ部１１０に収容されていると、ユーザ１３０が吸い込むマスク１００の内側の空気のＣＯ濃度は、このマスクの周囲の空気より低い。同様に、二酸化硫黄ＳＯ２の濃度もフィルタ部１１０に収容されたフィルタによって少なくとも部分的に制御され得るので、マスク１００内の空気のＳＯ２濃度はマスクの周囲の空気より低い。
【００４１】
図１に示されているマスクは単なる一例であり、本発明は、図１が本明細書に含まれていることによって、図１のマスクに似たマスクを備えた実施形態に限定されるものではない。
【００４２】
図２は、本発明の一実施例に従う例示的システムを示す。マスク１００およびフィルタ部１１０は、図１内の同じ構造にそれぞれ相当する。図２のシステムは、チャネル２０１を介してマスク１００と通信し得るサポート部２００を更に備える。チャネル２０１は、有線チャネルでもよく、または少なくとも部分的に無線チャネル、例えばＢｌｕｅｔｏｏｔｈ（登録商標）もしくはＢｌｕｅｔｏｏｔｈ−ＬＥチャネルなど、でもよい。一部の実施形態においては、チャネル２０１が存在しない。一部の実施形態においては、マスク１００およびサポート部２００が１つの物理的物体として実装される。
【００４３】
サポート部は、電池２１０、通信ユニット２２０、メモリ２３０、処理モジュール２４０、少なくとも１つのセンサ２５０、および対話ユニット２６０のうちの少なくとも１つを備える。
【００４４】
電池２１０は、リチウムイオン電池、または電気エネルギーを蓄えるべく構成された他の種類の化学的もしくは機械的構成、を備え得る。電池２１０は充電式でもよい。電池２１０は、マスク１００および／またはサポート部２００内に備えられたエンティティに電気エネルギーを供給するべく構成され得る。通信ユニット２２０は、他のノードとの、例えば環境サーバとの、通信機能を図２のシステムにもたらすべく構成され得る。通信ユニット２２０は、例えばセルラー式または非セルラー式無線アクセス技術を介して、通信可能にされ得る。チャネル２０１が存在する場合、通信ユニット２２０はこれを制御し得る。
【００４５】
メモリ２３０は、情報、例えば環境情報および／または健康情報など、を格納するべく構成され得る。メモリ２３０は、例えば、磁気、固体、またはホログラフィック、メモリを備え得る。処理モジュール２４０は、少なくとも１つの処理コアを備えたプロセッサを少なくとも１つ備え得る。処理モジュール２４０は、例えばメモリ２３０に格納されたコンピュータ命令に基づき、図２のシステムの機能を制御するべく構成され得る。センサ２５０は、例えば、ＣＯ濃度、紫外線、ＵＶ、フラックス、または粒子濃度などの環境パラメータを少なくとも１つ判定するべく構成された環境センサを備え得る。対話ユニット２６０は、例えば、テキスト情報をユーザに提示するために適した表示画面、またはビープもしくは合成音声などの可聴情報をユーザに提供するために適したスピーカ、を備え得る。
【００４６】
図２のシステムは一例であり、本発明は、図２に示されているアーキテクチャに準拠するアーキテクチャに限定されるものではない。例えば、少なくとも１つのセンサを、サポート部２００内ではなく、マスク１００内に備え得る。サポート部２００は、ユーザがマスク１００を担持しているときに、このユーザによって担持されるボックスまたはモジュールの形態を取り得る。例えば、サポート部２００は、図１のストラップ１２０に取り付けられ得る。実施形態によっては、支持モジュール２００の物理的寸法は大きくなくてもよい。
【００４７】
使用時、処理モジュール２４０は、フィルタ部１１０内のフィルタセットが変更されるべきかどうかを判定するべく構成され得る。考えられる変更理由として、フィルタがフィルタ部１１０内に使用されている期間が所定の閾値を超えた場合、および環境条件が変化した場合、が挙げられる。
【００４８】
フィルタセットの変更とは、フィルタ部１１０に収容されている一組のフィルタを変えることを意味する。例えば、フィルタ部１１０にフィルタが一切存在しない場合、そこにフィルタを載置することは、フィルタ部１１０内の一組のフィルタを変化させることになる。例えば、フィルタ部１１０内にフィルタが１つ存在する場合、このフィルタを除去すること、別のフィルタに交換すること、または第２のフィルタを追加することは、フィルタ部１１０内のフィルタセットを変更することになる。例えば、フィルタ部１１０内に２つのフィルタが存在する場合は、この２つのフィルタの除去または交換などの如何なる変化もフィルタ部１１０内のフィルタセットを変更することになる。換言すると、フィルタセットは、フィルタ部１１０内に存在するゼロ以上のフィルタを含み得る。
【００４９】
処理モジュール２４０は、環境情報を受信し、この環境情報に少なくとも部分的に基づき、フィルタ部１１０内のフィルタセットが変更されるべきかどうかの判定を行うべく構成され得る。この判定は、現在のフィルタセットに関する情報、すなわち、フィルタ部１１０内にどのフィルタが現在存在するかに関する情報、にも基づき得る。現在のフィルタセットに関する情報は、例えばメモリ２３０に格納され得る、および／または処理モジュール２４０はこの情報をフィルタ部１１０から取得し得る。フィルタ部１１０は、フィルタ部１１０に収容されているフィルタの種類を識別する情報をこの収容されているフィルタから判定するべく構成されたリーダデバイスを有し得る。これを可能にするために、フィルタは、近距離通信、ＮＦＣ、タグ、バーコード、２Ｄバーコード、またはフィルタ種別のインジケータを含む他の種類の機械可読表示、を有し得る。メモリ２３０は、各フィルタがフィルタ部１１０内に存在している期間に関する情報を格納し得る。
【００５０】
例えば、空気中の粒子レベルが増加したことを示す環境情報を処理モジュール２４０が受信すると、粒子フィルタがフィルタ部１１０内に未だ存在しないなどの場合、処理モジュール２４０は、粒子フィルタがフィルタ部１１０に挿入されるべきであることをユーザに指示し得る。
【００５１】
処理モジュール２４０は、環境情報に少なくとも部分的に基づき、フィルタが別のフィルタに交換されてもよいと判定し得る。例えば、マスク１００の周囲の空気の、第１のフィルタによって除去される汚染物質のレベルは最早高くないが、第２のフィルタによって除去される汚染物質のレベルが高い場合、処理モジュール２４０は、第１のフィルタは第２のフィルタに交換されてもよいという指示をユーザに対して提供させ得る。
【００５２】
フィルタセットを変更すべきかどうかの判定は、ユーザに関する健康情報に少なくとも部分的に依存し得る。このような健康情報は、メモリ２３０に格納され得る、または通信ユニット２２０を介して別のソースから受信され得る、情報であり、ユーザが特定種別の花粉に対するアレルギーがあることを示し得る。環境情報が特定種別の花粉のレベルが高いことを示す場合、処理モジュール２４０は、この種類の花粉を濾過可能なフィルタがフィルタ部１１０に載置されるべきであるとの指示をユーザに対して提供させ得る。この花粉に対してアレルギーがないユーザは、このフィルタの恩恵を受けないので、このフィルタの挿入が促されないことになる。花粉フィルタは、これら花粉粒子の特徴的サイズより小さいフィルタ開口部サイズが選択された粒子フィルタを備え得る。
【００５３】
不要なフィルタをフィルタセットから除去する利点は、ユーザは不要なフィルタを通して空気を吸引する必要がないので、フィルタ部１１０を通した空気の吸引がより容易になり得ることである。フィルタ部１１０を通した空気の押し出しまたは引き込みが少なくとも１つの電動ファンによって行われる実施形態においては、不要なフィルタをフィルタセットから除去することによって、エネルギーが節約され、電池寿命が延びる。
【００５４】
判定を行うために、処理モジュール２４０はマスク１００の位置を取得し得る。この位置は、マスク１００またはサポート部２００、あるいは処理モジュール２４０がアクセス可能な別のユニット、に備えられた衛星測位受信機から取得され得る。この位置は、通信ユニット２２０がアクセス可能な通信網、例えばセルラー通信網など、に問い合わされ得る。位置は、例えば、通信ユニット２２０が取り付けられたセルのアイデンティティとして表され得る。処理モジュール２４０は、マスク１００が存在する位置に関する環境情報を応答として取得するために、この位置をサーバに送信し得る。処理モジュール２４０は、位置をサーバに提供する代わりに、またはそれに加えて、アイデンティティ、例えばマスク１００のアイデンティティ、ユーザ、または通信ユニット２２０のサブスクライバアイデンティティなど、を提供し得る。アイデンティティを使用すると、サーバまたは別のノードは位置を判定し、正しい環境情報を処理モジュール２４０に返させるようになり得る。
【００５５】
処理モジュール２４０は、ユーザの健康情報を、例えば通信ユニット２２０を介して、要求し得る。この利点は、健康情報がローカルに格納される解決策に比べ、健康情報が更新された場合にユーザがメモリ２３０内の健康情報を再構成する必要がないことである。一部の実施形態において、処理モジュール２４０は、健康情報をその都度要求するべく、またはメモリ２３０に格納もしくはキャッシュされている健康情報を使用するべく構成される。健康情報は、例えば、ユーザの医療サービス提供者に、適切な資格証明書を用いて、要求され得る。あるいは、例えば、マスク１００をパーソナルコンピュータにリンクすることによって、健康情報がユーザによって入力され得る。
【００５６】
フィルタセットを変化させるための指示をユーザに与える代わりに、またはそれに加えて、処理モジュール２４０は、マスク１００が装着されていない場合に、マスク１００を装着させるための指示を与えるべく構成され得る。処理モジュール２４０はマスクが装着されているかどうかを、例えばストラップ１２０に、配設されたセンサから判定し得る。ストラップ１２０が伸張姿勢である場合、マスクはおそらく使用中である。したがって、処理モジュール２４０はマスクが使用中でないときを知ることができ、マスクが装着されたことへの応答として、装着させるための指示の提供を中止できる。環境情報を考慮して、場合によっては健康情報も考慮して、フィルタセットが適切な場合、ユーザはマスクの装着のみを促され得る。フィルタセットが不適切な場合、ユーザは、フィルタセットの変更とマスクの装着とが指示によって促され得る。
【００５７】
環境情報、場合によっては更に健康情報、が空気の濾過が不要であると示しており、ユーザがマスクを使用している場合、処理モジュール２４０は、マスクを外してもよいという指示をユーザに与えるべく構成され得る。
【００５８】
一部の実施形態において、処理モジュール２４０は、マスクの使用、および／またはフィルタセット内の変化、に関する情報を共有するべく構成される。この情報は、ユーザのクラウドサービス、および／またはユーザが選択した他のエンティティ、と共有され得る。この共有は、行われるべく一旦構成されると、自動的に行われ得る。
【００５９】
一部の実施形態において、サポート部２００、マスク１００、および／またはマスク装置の他の部分は、少なくとも１つの汚染物質レベルを判定可能なセンサを少なくとも１つ装備する。これら実施形態において、環境情報は、その一部または全体が、このような１つ以上のセンサから処理モジュール２４０において受信され得る。例えば、センサは、特定のサイズ基準を満たす粒子の量を測定するべく構成され得る。粒子量が閾値を超えて増加したとのこのセンサからの表示に応答して、処理モジュール２４０は粒子フィルタが現在のフィルタセットに含まれていることを検証し得る。粒子フィルタが存在しない場合、処理モジュール２４０は、粒子フィルタをフィルタ部１１０に挿入するための指示をユーザに対して提供させ得る。
【００６０】
代わりに、または加えて、少なくとも１つのセンサがユーザに関する生理学的情報、例えば心拍数または酸素飽和度など、を判定し得る。このような生理学的情報は、健康情報として使用され得る。生理学的情報がこのように収集される場合、一部の実施形態においては、健康情報がマスク装置の外部のソースから別途フェッチされない。
【００６１】
図３は、本発明の少なくとも一部の実施形態をサポート可能な例示的装置を示す。図示のデバイス３００は、例えば、図２のサポート部２００を備え得る。デバイス３００には、プロセッサ３１０が備えられている。プロセッサ３１０は、例えば、シングルまたはマルチコアプロセッサを備え得る。シングルコアプロセッサは処理コアを１つ備え、マルチコアプロセッサは処理コアを複数備える。プロセッサ３１０は、例えばＱｕａｌｃｏｍｍ  Ｓｎａｐｄｒａｇｏｎ（登録商標）８００プロセッサを備え得る。プロセッサ３１０は、複数のプロセッサを備え得る。処理コアは、例えば、アーム・ホールディングス社（ＡＲＭ  Ｈｏｌｄｉｎｇｓ）製のＣｏｒｔｅｘ−Ａ８処理コア、またはアドバンスト・マイクロ・デバイセズ社（Ａｄｖａｎｃｅｄ  Ｍｉｃｒｏ  Ｄｅｖｉｃｅｓ  Ｃｏｒｐｏｒａｔｉｏｎ）製のＢｒｉｓｂａｎｅ処理コア、を備え得る。プロセッサ３１０は、Ｑｕａｌｃｏｍｍ  Ｓｎａｐｄｒａｇｏｎ（登録商標）および／またはＩｎｔｅｌ  Ａｔｏｍプロセッサを少なくとも１つ備え得る。プロセッサ３１０は、特定用途向け集積回路（ＡＳＩＣ：ａｐｐｌｉｃａｔｉｏｎ−ｓｐｅｃｉｆｉｃ  ｉｎｔｅｇｒａｔｅｄ  ｃｉｒｃｕｉｔ）を少なくとも１つ備え得る。プロセッサ３１０は、フィールドプログラマブルゲートアレイ（ＦＰＧＡ：ｆｉｅｌｄ−ｐｒｏｇｒａｍｍａｂｌｅ  ｇａｔｅ  ａｒｒａｙ）を少なくとも１つ備え得る。プロセッサ３１０は、方法ステップをデバイス３００において実施するための手段でもよい。プロセッサ３１０は、アクションを実施するために少なくとも部分的に複数のコンピュータ命令によって構成され得る。プロセッサ３１０は、図２の処理モジュール２４０に相当し得る。
【００６２】
デバイス３００は、メモリ３２０を備え得る。メモリ３２０は、ランダムアクセスメモリおよび／またはパーマネントメモリを備え得る。メモリ３２０は、ＲＡＭチップを少なくとも１つ備え得る。メモリ３２０は、例えば、磁気、光、および／またはホログラフィックメモリを備え得る。メモリ３２０は、少なくとも部分的にプロセッサ３１０からアクセス可能であり得る。メモリ３２０は、情報を格納するための手段でもよい。メモリ３２０は、複数のコンピュータ命令を備え得る。プロセッサ３１０はこれら命令を実行するべく構成される。プロセッサ３１０に特定のアクションを行わせるべく構成された複数のコンピュータ命令がメモリ３２０に格納され、メモリ３２０からのコンピュータ命令を用いてプロセッサ３１０の指令下で動作するべくデバイス３００全体が構成されている場合、プロセッサ３１０、および／またはその少なくとも１つの処理コア、は前記特定のアクションを実施するべく構成されているとみなされ得る。メモリ３２０は、図２のメモリ２３０に相当し得る。
【００６３】
デバイス３００は、送信機３３０を備え得る。デバイス３００は、受信機３４０を備え得る。送信機３３０および受信機３４０は、少なくとも１つのセルラーまたは非セルラー規格に従って情報を送信および受信するべくそれぞれ構成され得る。送信機３３０は、複数の送信機を備え得る。受信機３４０は、複数の受信機を備え得る。送信機３３０および／または受信機３４０は、例えば、ＧＳＭ（登録商標）、ＷＣＤＭＡ（登録商標）、ロング・ターム・エボルーション（ＬＴＥ：ｌｏｎｇ  ｔｅｒｍ  ｅｖｏｌｕｔｉｏｎ）、ＩＳ−９５、無線ローカルエリアネットワーク（ＷＬＡＮ：ｗｉｒｅｌｅｓｓ  ｌｏｃａｌ  ａｒｅａ  ｎｅｔｗｏｒｋ）、イーサネット（登録商標）、および／またはＷｉＭＡＸ（登録商標）、規格に従って動作するべく構成され得る。送信機３３０および受信機３４０は、例えば、図２の通信ユニット２２０内に備えられ得る。
【００６４】
デバイス３００は、近距離通信（ＮＦＣ：ｎｅａｒ−ｆｉｅｌｄ  ｃｏｍｍｕｎｉｃａｔｉｏｎ）トランシーバ３５０を備え得る。ＮＦＣトランシーバ３５０は、ＮＦＣ、Ｂｌｕｅｔｏｏｔｈ（登録商標）、ＷｉｂｒｅｅなどのＮＦＣ技術または同様の技術を少なくとも１つサポートし得る。ＮＦＣトランシーバ３５０は、例えば、図２の通信ユニット２２０内に備えられ得る。
【００６５】
デバイス３００は、ユーザインタフェース（ＵＩ：ｕｓｅｒ  ｉｎｔｅｒｆａｃｅ）３６０を備え得る。ＵＩ３６０は、ディスプレイ、キーボード、タッチスクリーン、デバイス３００を振動させることによってユーザに合図するべく構成されたバイブレータ、スピーカ、およびマイクロフォンのうちの少なくとも１つを備え得る。ユーザは、例えば、健康情報をマスク装置に入力するために、マスク装置のオンまたはオフへの切り換えを命令するために、および／またはマスク装置からの指示を受信するために、ＵＩ３６０を介してデバイス３００を操作し得る。ＵＩ３６０は、例えば、図２の対話ユニット２６０内に備えられ得る。
【００６６】
デバイス３００は、ユーザ識別モジュール３７０を備え得る、またはユーザ識別モジュール３７０を収容するべく構成され得る。ユーザ識別モジュール３７０は、例えば、デバイス３００に搭載可能なサブスクライバ識別モジュール（ＳＩＭ：ｓｕｂｓｃｒｉｂｅｒ  ｉｄｅｎｔｉｔｙ  ｍｏｄｕｌｅ）カードを備え得る。ユーザ識別モジュール３７０は、デバイス３００のユーザのサブスクリプションを識別する情報を備え得る。ユーザ識別モジュール３７０は、デバイス３００のユーザのアイデンティティを検証するために、および／または通信される情報の暗号化と、デバイス３００を介して行われた通信に対するデバイス３００のユーザの課金と、を容易にするために、使用可能な暗号化情報を備え得る。ユーザ識別モジュール３７０は、例えば、図２の通信ユニット２２０内に備えられ得る。
【００６７】
プロセッサ３１０は、プロセッサ３１０からの情報を、デバイス３００内の電気リードを介して、デバイス３００内に備えられている他のデバイスに出力するべく構成された送信機を備え得る。このような送信機は、例えば、メモリ３２０に格納するための情報を少なくとも１本の電気リード経由でメモリ３２０に出力するべく構成されたシリアルバス送信機を備え得る。送信機は、シリアルバスの代わりに、パラレルバス送信機を備え得る。同様に、プロセッサ３１０は、デバイス３００内に備えられている他のデバイスからの情報を、デバイス３００内の電気リード経由で、プロセッサ３１０において受信するべく構成された受信機を備え得る。このような受信機は、例えば、プロセッサ３１０において処理するための情報を、受信機３４０への少なくとも１本の電気リード経由で、受信するべく構成されたシリアルバス受信機を備え得る。受信機は、シリアルバスの代わりに、パラレルバス受信機を備え得る。
【００６８】
プロセッサ３１０、メモリ３２０、送信機３３０、受信機３４０、ＮＦＣトランシーバ３５０、ＵＩ３６０、および／またはユーザ識別モジュール３７０は、デバイス３００内の電気リードによって多くの異なる方法で相互接続され得る。例えば、上記デバイスの各々は、デバイス間の情報交換を可能にするために、それぞれ独立にデバイス３００内のマスタバスに接続され得る。ただし、当業者は理解されるように、これは１つの例に過ぎず、実施形態によっては、上記デバイスのうちの少なくとも２つを相互接続するさまざまな方法が、本発明の範囲から逸脱することなく、選択され得る。
【００６９】
図４は、本発明の一実施例に従う信号方式を示す。縦軸には、左から右に、対話ユニット２６０、センサ２５０、処理モジュール２４０、健康サーバに相当するＳＲＶ−Ａ、および最後に環境情報サーバに相当するＳＲＶ−Ｂが配設されている。時間は、上から下に向かって経過する。対話ユニット２６０、センサ２５０、および処理モジュール２４０は、図２に示されているようなマスク装置内に備えられる。センサ２５０は、本発明の全ての実施形態には存在していないという意味で、オプションである。
【００７０】
オプションのフェーズ４１０において、処理モジュール２４０は環境情報をＳＲＶ−Ｂに問い合わせ得る。フェーズ４１０の問い合わせは、処理モジュール２４０を備えたマスク装置の位置、および／またはマスク装置のアイデンティティ、の表示を含み得る。フェーズ４１０のメッセージは、適したプロトコルの接続、例えばインターネットプロトコル（ＩＰ：ｉｎｔｅｒｎｅｔ  ｐｒｏｔｏｃｏｌ）接続など、を介して送信され得る。フェーズ４１０のメッセージは、そこに含まれている機密情報、例えば、ユーザの位置および／またはアイデンティティなど、を保護するために暗号化され得る。
【００７１】
フェーズ４２０において、ＳＲＶ−Ｂは環境情報を処理モジュール２４０に提供する。この環境情報は、マスク装置の位置に固有の情報でもよく、または多くの位置をカバーする包括的情報でもよい。後者の場合、処理モジュール２４０は、包括的な環境情報から当該マスク装置の現在位置に関連する部分を選択するべく構成され得る。オプションのフェーズ４３０において、処理モジュール２４０はマスク装置内に備えられているセンサから環境情報を受信する。一部の実施形態において、処理モジュール２４０は、環境情報をセンサ２５０から受信し、ＳＲＶ−Ｂからは受信しない。処理モジュール２４０が環境情報の要求を送信しない場合、ＳＲＶ−Ｂは定期的に、例えば毎時間または毎日、環境情報を提供し得る。
【００７２】
オプションのフェーズ４４０において、処理モジュール２４０は健康情報をＳＲＶ−Ａに問い合わせ得る。フェーズ４４０のメッセージは、フェーズ４１０のメッセージのように、プロトコルメッセージでもよい。フェーズ４４０のメッセージは、マスク装置のユーザに関する情報、例えば、ユーザの名前または識別子、を含み得る。オプションのフェーズ４５０において、ＳＲＶ−Ａは、健康情報、例えばマスク装置のユーザの健康情報、を処理モジュール２４０に提供し得る。フェーズ４４０および４５０のメッセージは、機密健康情報を保護するために、例えばＨＴＴＰＳ（ｈｙｐｅｒｔｅｘｔ  ｔｒａｎｓｐｏｒｔ  ｐｒｏｔｏｃｏｌ  ｓｅｃｕｒｅ）を用いて暗号化され得る。一部の実施形態において、処理モジュール２４０は、ＳＲＶ−Ａに加え、またはその代わりに、マスク装置内に備えられているセンサから健康情報を取得する。これらの場合、このようなセンサ由来の健康情報は、心拍数または酸素飽和度などの生理学的情報を含み得る。
【００７３】
フェーズ４３０は、図４にはフェーズ４２０および４４０間で発生すると示されているが、フェーズ４６０の前のいずれの時点でも発生し得る。同様に、フェーズ４４０および４５０は、図４に示されている順番の代わりに、フェーズ４２０の前に発生し得る。
【００７４】
フェーズ４６０において、処理モジュール２４０は、環境情報に少なくとも部分的に基づき、フェイスマスク内の現在のフィルタセットが変更されるべきかどうかの判定を行う。健康情報が提供される場合、この判定はこの健康情報にも少なくとも部分的に基づき得る。この判定は、現在のフィルタセットに少なくとも部分的に基づき得る。
【００７５】
例えばフィルタをフィルタセットに追加することによって、フィルタセットを変更すべきであることを示すフェーズ４６０の判定に応答して、処理モジュール２４０は、フェーズ４７０において、この指示を対話ユニット２６０に提供する。これにより、対話ユニット２６０は、感知表示をユーザに提供し得る。この感知表示は、例えば、可聴信号およびテキスト表示の少なくとも一方を含み得る。オプションのフェーズ４８０において、処理モジュール２４０は、ユーザがフェーズ４７０の表示に従ってアクションを行ったかどうかを判定し得、処理モジュール２４０の指示に従ってユーザがアクションを行ったことに応答して、処理モジュール２４０は、オプションのフェーズ４９０において、フィルタセットが今や最適化されていることの確認をユーザに送ることを対話モジュールに対して命令し得る。このような確認は、ユーザがフィルタセットを首尾よく変更したことをユーザ自身に通知する短い可聴タップまたは他の種類の感知表示を含み得る。
【００７６】
図５は、本発明の一実施例に従う第１の方法の第１のフローチャートである。図示されている方法の各フェーズは、例えば処理モジュール２４０において、実施され得る。フェーズ５１０は、環境情報の受信を含む。この環境情報は、例えば処理モジュール２４０において、受信され得る。フェーズ５２０は、この環境情報に少なくとも部分的に基づき、フェイスマスク内の現在のフィルタセットが変更されるべきかどうかの判定の実施を含む。
【００７７】
図６は、図５に示されている方法のより具体的な変形例のフローチャートである。オプションのフェーズ６１０は、サーバ、例えば環境または健康サーバ、とマスク装置との間の接続の形成を含む。フェーズ６２０は、例えば、健康サーバ、マスク装置内のセンサまたはメモリ、からの健康情報の受信を含む。フェーズ６３０は、例えば、環境情報サーバからの、またはマスク装置内に備えられている少なくとも１つのセンサからの、環境情報の受信を含む。フェーズ６４０は、健康情報と閾値の比較を含む。この閾値は、環境情報に依存し得る。健康情報が存在しない場合は、デフォルトの健康情報が使用され得る。閾値を超えていない場合、処理はフェーズ６２０に戻る。閾値を超えている場合は、例えば粒子濃度がユーザ固有の、またはデフォルトの、健康閾値を超えている場合は、マスク装置内の現在のフィルタセットを変更させるための指示がユーザに与えられる。
【００７８】
図７は、本発明の一実施例に従う第２の方法の第２のフローチャートである。この方法の各フェーズは、例えばサポート部２００において、実施され得る。フェーズ７１０は、顔表情を特徴づける情報の格納を含む。フェーズ７２０は、少なくとも１つの筋電センサ、例えば電極など、からの情報の受信を含む。最後に、フェーズ７３０は、受信された情報が格納された情報に一致するかどうかを判定することと、一致に応答してフェイスマスクにアクションを行わせることとを含む。このアクションは、例えば、フェイスマスク内の現在の一組のフィルタを変化させるべきかどうかの判定の実施を含み得る。
【００７９】
図８は、図７に示されている方法のより具体的な変形例のフローチャートである。フェーズ８１０において、ユーザは、顔動作、例えば一連の顔表情または顔面筋による他の動作など、を実施する。フェーズ８２０において、少なくとも１つの筋電センサ、例えば少なくとも１つの電極など、がフェーズ８１０の顔動作に関するデータを記録する。フェーズ８３０において、フェーズ８２０で記録されたデータが処理モジュール２４０に提供される。フェーズ８４０において、処理モジュール２４０は、このデータと顔表情を特徴づける基準データとの比較を可能にするために、このデータの前処理を行う。フェーズ８５０において、フェーズ８２０で記録されたデータが基準データに一致するかどうかが、例えば処理モジュール２４０において、判定される。一致しない場合、処理はフェーズ８２０に戻る。一致した場合、処理はフェーズ８６０に進み、そこで処理モジュールはフェイスマスクにアクション、例えば、フェイスマスク内の現在の一組のフィルタが変更されるべきかどうかの判定など、を行わせる。
【００８０】
図９は、本発明の一実施例に従う方法の第３のフローチャートである。この方法の各フェーズは、例えば、処理モジュール２４０において実施され得る。フェーズ９１０は、環境情報、生理学的情報、および位置情報のうちの少なくとも２つの取得を含む。フェーズ９２０は、取得された情報をフェイスマスク装置からサーバに対して送信させることを含む。フェーズ９３０は、サーバからのユーザプロファイルの受信を含む。最後に、オプションのフェーズ９４０は、ユーザプロファイルの共有を認可することを含む。
【００８１】
図１０は、図９に示されている方法のより具体的な変形例のフローチャートである。フェーズ１０１０において、ユーザはフェイスマスクを装着する。フェーズ１０２０において、マスク装置内に備えられている、環境および生理学的データを測定するセンサが起動される。例えば、これらセンサは、環境の一酸化炭素濃度およびユーザの酸素飽和度を測定し得る。
【００８２】
フェーズ１０３０において、これらセンサによって測定されたデータが処理モジュール２４０に提供される。フェーズ１０４０において、処理モジュールは、例えば位置推定をセルラー網に要求することによって、またはフェイスマスク装置に備えられている衛星測位装置を用いて、位置推定を取得させる。フェーズ１０５０において、処理モジュールは環境、生理学的、および位置情報を、例えばＩＰ接続を介して、サーバに対して送信させる。
【００８３】
フェーズ１０６０において、サーバは、フェーズ１０５０で提供された情報に基づき、ユーザプロファイルを生成する。例えば、サーバは、ユーザが移動しがちな場所、時刻、およびその時刻にこのユーザがなり得る生理学的状態に関する情報をプロファイルに含ませ得る。例えば、ユーザが夜毎に特定の場所でジョギングしがちである場合、このユーザは、自身を汚染に対してより脆弱にし得る肉体的にストレスがかかった生理学的状態でその場所に存在することになる。
【００８４】
フェーズ１０７０において、このプロファイルは処理モジュール２４０に提供される。フェーズ１０８０において、このプロファイルはユーザに提示される、またはユーザに別の方法で、例えばユーザのコンピュータへのダウンロードを可能にすることによって、提供される。フェーズ１０９０において、ユーザは、このプロファイルに含まれているデータに関するフィルタ条件を設定する。例えば、このプロファイルの更新を心拍数が高いとき、すなわち運動中、に限定し得る。フェーズ１０９５において、このプロファイルを第三者と共有するために、サーバは、例えばマスク装置を介して、ユーザによって構成される。
【００８５】
図１１は、本発明の一実施例に従う方法の第４のフローチャートである。フェーズ１１１０はアクションのリストと各アクションについての時点および目標位置とを規定する情報の受信および格納を含む。フェーズ１１２０は、各時点および目標位置を規定する情報をサーバに向けて送信させることを含む。フェーズ１１３０は、各目標位置に関する環境情報を当該目標位置に対応する時点に受信することを含む。換言すると、受信された情報は、各目標位置に対して規定された時点におけるその目標位置の環境条件を特徴づける。フェーズ１１４０は、受信された環境情報に少なくとも部分的に基づき、フェイスマスク内に使用されるべき少なくとも１つのフィルタを決定することを含む。
【００８６】
図１２は、図１１に示されている方法のより具体的な変形例のフローチャートである。フェーズ１２１０において、ユーザは、実施すべきアクションのリスト、所謂やるべきことのリスト、を設定する。このリストは、各項目について、目標時間範囲および位置を含む。この目標時間範囲および位置は、例えばカレンダーアプリケーションの助けを借りて、記入され得る。このカレンダーアプリケーションは、例えば、目標位置を推奨するべく構成され得る。フェーズ１２２０において、やるべきことのリストの項目とこれらに対応付けられた情報とは、メモリ、例えば上記の例示的メモリ２３０、に格納される。
【００８７】
フェーズ１２３０において、処理モジュール２４０は、各アクションに対応付けられた位置情報をサーバに対して送信させ、目標時間範囲中の各位置の環境情報を問い合わせる。この問い合わせは、明示的でも黙示的でもよく、これら位置および時間範囲の受信に応答して、目標時間範囲における各位置に関する環境情報を自動的に提供し得る。フェーズ１２４０において、この環境情報は処理モジュール２４０において受信される。したがって、例えば、フェイスマスク装置は、ユーザが習慣的に使用するジョギングトラックに関する環境情報、すなわち、ユーザがそこでジョギングしようと計画している時間空間に固有の情報、を取得し得る。
【００８８】
最後に、フェーズ１２５０において、処理モジュール２４０は、やるべきことのリストに含まれているアクション中に使用するためのフィルタをユーザに推奨する。処理モジュール２４０は、場合によっては、やるべきことのリストに追加されるアクションを生成し得る。これら生成されるアクションは、例えば、予想される環境条件に応じて設定時点においてフィルタ部１１０内のフィルタを変化させることに関するアクションである。
【００８９】
開示されている本発明の各実施形態は、本願明細書に開示されている特定の構造、プロセスステップ、または材料に限定されず、当業者によって認識されるように、これらの均等物にも及ぶものと理解されたい。本願明細書に使用されている述語は特定の実施形態を説明する目的でのみ使用されており、限定するためではないことも理解されたい。
【００９０】
本願明細書にわたって「１つの実施形態」または「一実施形態」への言及は、この実施形態に関連して記載されている特定の特徴、構造、または特性が本発明の少なくとも１つの実施形態に含まれていることを意味する。したがって、本願明細書の全体にわたってさまざまな個所における「１つの実施形態において」または「一実施形態において」という句の出現は、必ずしも同じ実施形態に言及しているとは限らない。
【００９１】
本願明細書で使用されている、複数の項目、構造上の要素、構造要素、および／または材料は、便宜上、共通のリストに提示され得る。ただし、これらリストは、リストの各メンバが独立した唯一無二のメンバとして個々に識別されるかのように解釈されるべきである。したがって、このようなリストの個々のメンバのいずれも、共通の一群内のそれぞれの表出にのみ基づき、同じリストのいずれか他のメンバの事実上の等価物として解釈されるべきではない。ただし、これと反対の記述がある場合は除く。また、本願明細書においては、本発明のさまざまな実施形態および例が、そのさまざまな構成要素の代案と共に言及されることもある。このような実施形態、例、および代案は、互いの事実上の均等物として解釈されるべきではなく、本発明の独立した自律的な表現であるとみなされるべきであることを理解されたい。
【００９２】
更に、記載の特徴、構造、または特性は、１つ以上の実施形態においていずれか適した方法で組み合わせられ得る。上記の説明には、本発明の実施形態の完全な理解をもたらすために、長さ、幅、形状、等々の例など、多くの具体的な詳細が提供されている。ただし、本発明は、これら具体的な詳細のうちの１つ以上がなくても、または他の方法、構成要素、材料、等々を用いて、実施可能であることを当業者は認識されるであろう。また、本発明の態様を曖昧にすることを回避するために、周知の構造、材料、またはアクションは、図示または詳細に説明されていない。
【００９３】
上記の各例は、１つ以上の特定の適用例における本発明の原理の説明であり、形態、用途、および実装の詳細における多くの変更を、発明能力の発揮なしに、および本発明の原理および概念から逸脱することなく、行えることは当業者には明らかであろう。したがって、本発明は、添付の特許請求の範囲以外によって限定されるものではない。 
【図１】
0006470407.tif 000002
【図２】
0006470407.tif 000003
【図３】
0006470407.tif 000004
【図４】
0006470407.tif 000005
【図５】
0006470407.tif 000006
【図６】
0006470407.tif 000007
【図７】
0006470407.tif 000008
【図８】
0006470407.tif 000009
【図９】
0006470407.tif 000010
【図１０】
0006470407.tif 000011
【図１１】
0006470407.tif 000012
【図１２】
0006470407.tif 000013